(57)【要約】【課題】パチンコホールにおいてＲＯＭのチェックを繰り返す周期の間にネジ保持部を切断して上カバーを外した上でＲＯＭ等の制御素子を取り替える不正行為を効果的に防止することが可能な遊技機用制御装置を提供する。【解決手段】制御装置１は、制御素子を設置した基板２が、切断可能なネジ保持部５，５・・を上下に設けた上カバー３と、その上カバー３と合致する下カバー４とによって覆われている。そして、上カバー３の上下のネジ保持部５，５・・の内の１つずつが、ワンウェイタイプのネジによって下カバー４に螺着されている。また、基板２は、その裏面からネジを螺合させることによって上カバー３の内側に螺着された状態になっている。【選択図】図６
2007160004.tif 000002
【特許請求の範囲】
【請求項１】
切断可能な複数の封止手段を設けた上カバーと、その上カバーと合致する下カバーとによって、制御素子を設置した基板が覆われているとともに、封止手段の内の少なくとも１つが、下カバーに取り外し不能に固着された遊技機用制御装置であって、
前記基板が、その裏面からネジを螺合させることによって上カバーの内側に螺着されていることを特徴とする遊技機用制御装置。
【請求項２】
上カバーあるいは下カバーの内のいずれか一方に、係合片が突設されているとともに、他方に、前記係合片と係合可能な係合溝が形成されており、
上カバーと下カバーとが、係合片を係合溝に係合させた状態でスライドさせて重ね合わせることにより組み付けられていることを特徴とする請求項１に記載の遊技機用制御装置。
【請求項３】
基板上に搭載された所定の制御素子と対峙した上カバーの内面に、補強リブが設けられていることを特徴とする請求項１、または請求項２に記載の遊技機用制御装置。
【発明の詳細な説明】
【技術分野】
【０００１】
本発明は、パチンコ機、スロットマシーン等の遊技機に用いる遊技機用制御装置に関するものである。
【背景技術】
【０００２】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられることがある。それゆえ、従来の遊技機用制御装置の中には、制御素子を設置した基板を螺着させた下カバーを、切断可能な複数のネジ保持部を左右両端縁に設けた上カバーで覆うとともに、上カバーの左右のネジ保持部の内の一つずつを、締着方向へのみ回転可能なワンウェイタイプのネジを用いて下カバーに螺着することにより、ネジ保持部を切断しなければ上カバーを取り外すことができないようにしたものがある。
【０００３】
【特許文献１】特開２００１−３５３３３５号公報
【発明の開示】
【発明が解決しようとする課題】
【０００４】
しかしながら、上記した従来の遊技機用制御装置は、ネジ保持部を切断すると上カバーと下カバーとが簡単に離反して、基板上のＲＯＭ等の制御素子が露出してしまうため、パチンコホールにおいてＲＯＭのチェックを繰り返す周期の間にネジ保持部が切断されて上カバーが外された上で基板上のＲＯＭ等が不正に交換される、という不正行為を効果的に防止することができない。
【０００５】
本発明の目的は、上記従来の遊技機用制御装置の問題点を解消し、パチンコホールにおいてＲＯＭのチェックを繰り返す周期の間にネジ保持部を切断して上カバーを外した上でＲＯＭ等の制御素子を取り替える不正行為を効果的に防止することが可能な遊技機用制御装置を提供することにある。
【課題を解決するための手段】
【０００６】
本発明の内、請求項１に記載された発明の構成は、切断可能な複数の封止手段を設けた上カバーと、その上カバーと合致する下カバーとによって、制御素子を設置した基板が覆われているとともに、封止手段の内の少なくとも１つが、下カバーに取り外し不能に固着された遊技機用制御装置であって、前記基板が、その裏面からネジを螺合させることによって上カバーの内側に螺着されていることにある。なお、上カバーとは、パチンコ機を背面側から見た場合に、外側に位置するカバーのことである。なお、本発明における取り外し不能に固着とは、いわゆるワンフェイタイプのネジによる螺着、ピンによるかしめ止め、嵌合孔への嵌合突起の嵌入による固着等であって、予め取り外す方法が想定されていない固着のことを言う。
【０００７】
請求項２に記載された発明の構成は、請求項１に記載に記載された発明において、上カバーあるいは下カバーの内のいずれか一方に、係合片が突設されているとともに、他方に、前記係合片と係合可能な係合溝が形成されており、上カバーと下カバーとが、係合片を係合溝に係合させた状態でスライドさせて重ね合わせることにより組み付けられていることにある。
【０００８】
請求項３に記載された発明の構成は、請求項１、または請求項２に記載に記載された発明において、基板上に搭載された所定の制御素子と対峙した上カバーの内面に、補強リブが設けられていることにある。
【発明の効果】
【０００９】
請求項１に記載された遊技機用制御装置は、ＲＯＭ等の制御素子を搭載した基板が、その裏面からネジを螺合させることによって上カバーの内側に螺着されているため、従来の遊技機用制御装置のように上カバーを外すと直ちにＲＯＭが露呈する、ということがなく、基板と一体になった上カバーを下カバーから完全に取り外した上で、さらに上カバーから基板を外さなければ、基板上の制御素子が露出しない。したがって、制御装置によれば、ＲＯＭ等の制御素子の不正取り替えを非常に効果的に防止することができる。
【００１０】
請求項２に記載された遊技機用制御装置は、上カバーと下カバーとが、係合片を係合溝に係合させた状態でスライドさせて重ね合わせることによって組み付けられているため、上カバーの左右（あるいは上下等）のネジ挿入体を切断して、パチンコ機と接続された多くのリード線を基板のコネクタから取り外し、上カバーを下カバーと重ならない位置までスライドさせなければ、基板と一体になった上カバーを下カバーから外すことができないので、きわめて高い精度でＲＯＭ等の不正取り替えを防止することができる。
【００１１】
請求項３に記載された遊技機用制御装置は、基板上に搭載された所定の制御素子と対峙した上カバーの内面に、補強リブが設けられているため、上カバーを切断しにくいので、工具を利用して上カバーを無理矢理切断してＲＯＭ等の制御素子を交換するタイプの不正行為を非常に効果的に防止することができる。
【発明を実施するための最良の形態】
【００１２】
以下、本発明の遊技機用制御装置（以下、単に制御装置という）について、図面に基づいて詳細に説明する。図１〜図６は、それぞれ、パチンコ機に搭載する制御装置１の前方斜視図、正面図、平面図、右側面図、前方分解斜視図、後方分解斜視図である。また、図７（ａ），（ｂ）は、それぞれ、図２におけるＡ−Ａ線断面、Ｂ−Ｂ線断面を示す説明図である。制御装置１は、種々の制御素子を搭載した基板２、透明な合成樹脂製の上カバー３および下カバー４等によって形成されている。
【００１３】
上カバー３は、片面を開口した直方体の箱形に形成されており、フラットな平板部３ｃの上下左右が後方へ略直角に折り曲げられた状態になっている。そして、かかる箱状の本体部１６の上面３ａおよび下面３ｂには、それぞれ、封止手段である４個のネジ保持部５，５・・が、同一直線状に位置するように突設されている。各ネジ保持部５，５・・は、矩形のベース板の表面に、筒状部が水平方向に突出するように設けられており、その筒状体の基端の中央には、ネジ孔６が穿設されている。また、各ネジ挿通体５，５・・は、基端に位置した切断可能な３個の取付片７，７によって、上面３ａあるいは下面３ｂに一体的に連設されている（射出成形等によって上面３ａ、下面３ｂ、取付片７，７とともに形成されている）。そして、各ネジ保持部５，５・・のネジ孔には、螺着方向へのみ回転可能なワンウェイタイプのネジ（図示せず）が、嵌め込まれている（なお、ワンウェイタイプのネジについては、特開２００１−３５３３３５号公報等参照）。
【００１４】
さらに、上面３ａおよび下面３ｂの左右の両端際には、帯状の係合片１２，１２が上面３ａあるいは下面３ｂから外側に突出するように設けられており、上面３ａあるいは下面３ｂ後方側の端縁と所定の距離を隔てて平行になっている。なお、上カバー３の上面３ａは、後方から前方にかけて下向きに傾斜した状態になっており、後述するようにパチンコ機に設置した場合に、上面３ａの上に遊技球が載ったままにならないようになっている。加えて、上カバー３の左端には、帯状のコネクタ嵌合部８が設けられており、そのコネクタ嵌合部８には、基板２上に設置されたコネクタを挿通させるための挿通孔９，９・・が穿設されている。加えて、上カバー３の平板部３ｃの内面の四隅際には、基板を螺着するためのネジ溝を螺刻した４個の螺着リブ２０，２０・・が立設されている。各螺着リブ２０は、上カバー３の上面３ａ、下面３ｂ、左右の側面と接合することなく、所定の距離を隔てて離反した状態になっている。
【００１５】
加えて、上カバー３の平板部３ｃの内面には、基板２上に搭載されたＲＯＭ１５を覆うように保護体１７が中空の四角柱状に形成されている。さらに、その保護体１７の基端の内側および外側には、それぞれ、上カバーの平板部３ｃを切断しにくくするための平板状の補強リブ１８ａ，１８ｂが立設されている。そして、保護体１７の内側に位置した補強リブ１８ａは、保護体１７の内側を格子状に縦断した状態になっている。一方、保護体１７の外側に位置した補強リブ１８ｂは、保護体１７の先端から次第に幅広になっており、保護体１７の基端側では、平板部３ａの端縁際まで達した状態になっている。
【００１６】
一方、基板２は、矩形に形成されており、表面にＲＯＭ１５やＣＰＵ等の種々の制御素子が搭載されている。また、基板２の左端縁際には、基板２をパチンコ機と接続させるための各種のコネクタが集中的に搭載されている。かかる基板２は、四隅際にネジ挿通孔１４，１４・・が穿設されており、基板２の裏面側から各ネジ挿通孔１４，１４・・を挿通させたネジの先端側を上カバー３の四隅際の螺着リブ２０，２０・・に螺合させることによって、上カバー３の内側に螺着されている。
【００１７】
また、下カバー４は、上カバー３と略同一幅、同一高さを有する開口した扁平な箱状に形成されており、平板部４ｃの上下および左側が後方へ略直角に折り曲げられた状態になっている。さらに、上面４ａおよび下面４ｂの前方の端縁は、下側に折り返されており、それらの折返し部分が平板部４ｃとともに、上カバー３の上下の係合片１２，１２と係合する係合溝１３を形成した状態になっている。そして、上面４ａおよび下面４ｂには、それぞれ、４個のネジ螺着部１０，１０・・が、上カバー３のネジ保持部５，５・・と同一間隔で同一直線状に位置するように突設されている。各ネジ螺着部１０，１０・・は、直方体状に形成されており、中央に穿設されたネジ孔に、上カバー３のネジ保持部５，５・・内のネジを螺合可能なネジ溝（図示せず）が穿設されている。
【００１８】
制御装置１は、図８の如く、基板２と一体になった上カバー３の上下の係合片１２，１２を、下カバー４の上下に設けられた係合溝１３，１３内に挿入し、上カバー３と下カバー４とを重ねるように左右方向にスライドさせることによって組み付けられている（なお、下カバー４の上面４ａおよび下面４ｂの先端の折返し部分と平板部４ｃとの距離は、上カバー３の上面３ａあるいは下面３ｂと係合片１２との距離より若干長くなるように（約０．５ｍｍ長くなるように）設計されており、上カバー３と下カバー４とを容易にスライドさせることができるとともに、上カバー３と下カバー４とが組み付けられた状態においては、がたつきが生じないようになっている）そして、その状態において、ワンウェイタイプのネジ（図示せず）によって、上カバー３の上側のネジ保持部５，５・・の内の一つを下カバー４の上側のネジ螺着部１０，１０・・の内の一つに螺着するとともに、上カバー３の下側のネジ保持部５，５・・の内の一つを下カバー４の下側のネジ螺着部１０，１０・・の内の一つに螺着することによって、上カバーと３下カバー４とが相対的に動かないように固定されている。
【００１９】
上記の如く構成された制御装置１は、下カバー４の後方に、下カバー４の平板部４ａと当接する静電気防止用の金属板を設置したベース部材（図示せず）を嵌合させた状態で、図９の如く、パチンコ機１の裏面側の機構板２４等に設置された状態で使用される。そして、基板２に搭載されたＲＯＭ１５やＣＰＵ等の種々の制御素子によって、パチンコ機２１の作動内容を制御する。
【００２０】
また、制御装置１は、上カバー３のネジ保持部５，５と下カバー４のネジ螺着部１０，１０とが、ワンウェイタイプのネジ（図示せず）によって螺着されているため、ネジを開放方向に回転させても、ネジ保持部５，５とネジ螺着部１０，１０との螺着状態が解除されない。それゆえ、上カバー３を取り外す場合には、ネジ保持部５，５の前方に設けられた３つの取付片７，７・・を、ニッパ等の工具で切断し、かかるネジ保持部５，５を上カバー３から切り離すことによって、上カバー３と下カバー４とを分離しなければならない。また、再度 上カバー３を下カバー４に合着させる場合には、切断されたネジ保持部５，５以外のネジ保持部５，５を、それぞれ、同位置のネジ螺着部１０，１０と螺着すれば良い。
【００２１】
制御装置１は、上記の如く、取付片７，７・・によってネジ保持部５，５が切断容易になっており、開放の痕跡を確認しつつ４回に亘って開放を繰り返すことができる。その上、基板２が、その裏面からネジを螺合させることによって上カバー３の内側に螺着されているため、基板２と一体になった上カバー３を下カバー４から完全に取り外した上で、さらに上カバー３から基板２を外さなければ、基板２上のＲＯＭ１５が露出しない。したがって、制御装置１によれば、ＲＯＭ１５等の制御素子の不正取り替えを非常に効果的に防止することができる。
【００２２】
また、制御装置１は、上カバー３に、係合片１２，１２・・が突設されているとともに、下カバー４に、係合片１２，１２・・と係合可能な係合溝１３，１３が形成されており、上カバー３と下カバー４とが、係合片１２，１２・・を係合溝１３，１３に係合させた状態でスライドさせて重ね合わせることにより組み付けられているため、上カバー３の上下のネジ保持部５，５を切断して、パチンコ機２１と接続された多くのリード線を基板２のコネクタから取り外し、上カバー３を下カバー４と重ならない位置までスライドさせなければ、基板２と一体になった上カバー３を下カバー３から外すことができないので、きわめて高い精度でＲＯＭ１５等の不正取り替えを防止することができる。
【００２３】
また、制御装置１は、基板２上に搭載されたＲＯＭ１５対峙した上カバー３の内面に、補強リブ１８ａ，１８ｂが設けられているため、上カバー３を切断しにくいので、上カバー３を工具により無理矢理切断してＲＯＭ１５等の制御素子を交換する不正を非常に効果的に防止することができる。
【００２４】
なお、本発明の制御装置は、上記実施形態の態様に何ら限定されるものではなく、基板、上カバー、下カバーの形状、構造等の構成を本発明の趣旨を逸脱しない範囲内で適宜変更することができる。
【００２５】
たとえば、上カバーに設けるネジ保持部の個数や、下カバーに設けるネジ螺着部の個数は、４個に限定されない。また、ネジ保持部と上カバーの本体部とを連結する取付片の個数も、３個に限定されない。さらに、ネジ保持部やネジ螺着部の設置位置は、上下カバーの上下両端縁に限定されず、上下カバーの左右両端縁等でも良い。
【００２６】
また、制御装置は、上記実施形態の如く、上カバーに係合片を設けるとともに下カバーに係合溝を設けたものに限定されず、下カバーに係合片を設けるとともに上カバーに係合溝を設けたものでも良い。加えて、上カバーの上下（あるいは左右）の片方に係合片を設け、他方に係合溝を設けるとともに、上カバーの上下（あるいは左右）の片方に係合溝を設け、他方に係合片を設けたものとすることも可能である。
【００２７】
加えて、基板を上カバーの内側に螺着させるネジをワンウェイタイプのネジにすると、制御素子の不正取り替え防止機能が一段と向上するので好ましい。
【００２８】
なお、上記実施形態においてはパチンコ機に使用される制御装置について説明したが、本発明の制御装置が使用される遊技機は、スロットマシーンやテレビゲーム等のパチンコ機以外の遊技機とすることも可能である。
【産業上の利用可能性】
【００２９】
本発明の遊技機用制御装置は、上記の如く優れた機能を奏するものであるので、パチンコ機をはじめ、スロットマシーンやテレビゲーム等の各種の遊技機用の制御装置として好適に用いることができる。
【図面の簡単な説明】
【００３０】
【図１】制御装置の前方斜視図である。
【図２】制御装置の正面図である。
【図３】制御装置の平面図である。
【図４】制御装置の右側面図である。
【図５】制御装置の分解斜視図（前方斜視図）である。
【図６】制御装置の分解斜視図（後方斜視図）である。
【図７】制御装置の断面を示す説明図である（（ａ）は、図２におけるＡ−Ａ線断面図であり、（ｂ）は、図２におけるＢ−Ｂ線断面図である）。
【図８】上カバーと下カバーとを組み付ける状態を示す説明図である。
【図９】制御装置を設置したパチンコ機の背面図である。
【符号の説明】
【００３１】
１・・制御装置、２・・基板、３・・上カバー、４・・下カバー、５・・ネジ保持部、７・・取付片、１０・・ネジ螺着部、１５・・ＲＯＭ、１８ａ，１８ｂ・・補強リブ、２１・・遊技機。
【図１】
2007160004.tif 000003
【図２】
2007160004.tif 000004
【図３】
2007160004.tif 000005
【図４】
2007160004.tif 000006
【図５】
2007160004.tif 000007
【図６】
2007160004.tif 000008
【図７】
2007160004.tif 000009
【図８】
2007160004.tif 000010
【図９】
2007160004.tif 000011